Podtech/llm-jp-corpus-v4-ja_patent huggingface dataset:
(57)【要約】【課題】公共施設トイレなどの便座蓋のない洗浄機能付き洋便器において洗浄機能収納箱上部に装着一体化したロール式便座シートペーパーホルダーを提供する。【解決手段】この発明は従来の便座蓋のある便器本体ではなく、便座蓋のない洗浄機能付き便器の便座シートペーパーホルダーが洗浄機能収納箱上部に装着一体化したことを特徴とする。【選択図】図６
2013212342.tif 000002
【特許請求の範囲】
【請求項１】
ロール式便座シートペーパーホルダーが便座蓋のない洋便器の洗浄機能収納箱上部の上に装着一体化されていることを特徴としたロール式便座シートペーパーホルダーである。
【請求項２】
ロール式便座シートペーパーホルダーは外部の形状は箱状で、内部の形状が下半分が半円筒形状で、上下半分に開閉できる事を特徴としたロール式便座シートペーパーホルダーである。
【請求項３】
仕切板をトイレットペーパー各１個ごとの間に１枚、計２枚を取り付けることにより３個を挿入することができ、便座シートとして利用できることを特徴とするロール式便座シートペーパーホルダーである。
【発明の詳細な説明】
【技術分野】
【０００１】  公共施設用トイレの便座蓋のない洗浄機能付き洋便器において、衛生面に考慮した便座ペーパーシートを容易に敷くことができる洗浄機能収納箱上部に装着一体化されたロール式便座シートペーパーホルダーに関すること。
【背景技術】
【０００２】  従来の便座シートは壁掛け式のホルダーより取り出して便座に敷くタイプのものが大半で折りたたまれている便座シートを広げて使用する時間的煩わしさがあった。また、便座蓋内部に便座シートをひらたく収納しているものや、ロール式便座シートホルダーの設置場所が便器自体に固定されていた。
【発明の概要】
【発明が解決しようとする課題】
【０００３】  現在市販されている便座シートは壁掛け式のホルダーより取り出して便座に敷くものが大半で折りたたまれて収納されていることから、広げて使用する時間的煩わしさがあり、また現在の洗浄機能付き洋便器上部には洗浄機能のためのセンサー用配線等が組み込まれている機能収納箱が設置されているので面積に空き部分がなく、その部分または後部に便座シートペーパーホルダーを取り付けようとするとホルダーの設置のために後部タンクと便器自体を離さなければならなかったり、また、ホルダー部をかわすために便座蓋可動部分を伸ばしたりすることは便器の形状に合わなくなるといった不具合がおこり、便座シートペーパーホルダーを洋便器本体もしくは便座本体に設置しようとすると設置場所確保が難しい問題があった。
【課題を解決するための手段】
【０００４】  本発明は便座蓋のない洋便器の洗浄機能収納箱上部に取り付けに必要な空き面積が確保でき、その部分にペーパーホルダーを装着一体化させて、そのペーパーホルダーの中からロール状のペーパーが引き出されることにより、従来の折りたたまれて収納されていた便座シートを広げて使用する時間的煩わしさがなくなった。ロール式便座ペーパーホルダーは内部の形状が下半分が半円筒形状であり、外部は箱状で、ペーパー入替えのため上下半分に開閉でき、ロール式便座シートペーパーもしくはトイレットペーパー３個を挿入して使用する。
【発明の効果】
【０００５】  本発明は、従来の所定の場所から取り出して便座に設置するという不具合をロールに巻かれている便座シートがホルダーの中から引き出されることにより、便座シートを広げる時間的煩わしさがなくなり、便座蓋がないため、ロール式便座シートペーパーホルダーを装着一体化するのに十分なスペースが確保でき、現状の後部タンクと便器の配置位置を変える必要がなく、邪魔にもならない。また、ペーパーホルダーで使用するロール式便座シートだけでなく、仕切板をトイレットペーパー各１個ごとの間に１枚、計２枚取り付けることにより３個を挿入することができ、ホルダーの中からペーパー引き出し用溝を経由して平行に３本引き出して便座シートとして利用することもできる。このペーパーホルダーは心棒等を使用せず複雑な形状でないためロール式便座シートもしくはトイレットペーパーの交換は半円筒形ホルダー部に置くだけでよく、掃除時にペーパーを容易に脱着でき、掃除はしやすく、複雑な機能を必要としないため故障などせず低コストで量産できるものと思われる。
【図面の簡単な説明】
【０００６】
【図１】ロール式便座シートペーパーホルダーの設置された状態を表す姿図である。
【図２】ロール式便座シートペーパーホルダーの上蓋が開いた状態を表す姿図である。
【図３】ロール式便座シートペーパーホルダーにトイレットペーパー３個が仕切板を取付けて挿入された状態を表す姿図である。
【図４】ロール式便座シートペーパーホルダーよりトイレットペーパー３個がペーパー引き出し用溝を経由して引き出された状態を表す姿図である。
【図５】ロール式便座シートペーパーホルダーよりロール式便座シートがペーパー引き出し用溝を経由して引き出された状態を表す姿図である。
【図６】ロール式便座シートペーパーホルダーよりトイレットペーパーが引き出される経路を表す一部断面図である。
【発明を実施するための形態】
【０００７】  以下、本発明の実施の形態を図１〜図４に基づいて説明する。
【０００８】  図においては、便座蓋のない洗浄機能付き洋便器１の上に装着一体化されたロール式便座シートペーパーホルダー上部４と下部６とで形成される便座シートペーパーホルダーである。洗浄機能収納箱３上部に装着一体化したロール式便座シートペーパーホルダー上部４と下部６は２箇所のヒンジ５で接合されており、上部４が後ろから前方向に開き、半円筒形状内部ホルダー８にトイレットペーパー９もしくはロール式便座シートペーパー１０が挿入され、ペーパー引き出し用溝７を経由して便座２上に引き出される。半円筒形状内部ホルダー８にトイレットペーパー９挿入時は各間ごとにトイレットペーパーの径とほぼ同寸の円形の仕切板１１を使用する。
【符号の説明】
【０００９】１    洗浄機能付き洋便器
２    便座
３    洗浄機能収納箱
４    ペーパーホルダー上部
５    ヒンジ
６    ペーパーホルダー下部
７    ペーパー引き出し用溝
８    半円筒形状内部ホルダー
９    トイレットペーパー
１０  ロール式便座シートペーパー
１１  仕切板
【図１】
2013212342.tif 000003
【図２】
2013212342.tif 000004
【図３】
2013212342.tif 000005
【図４】
2013212342.tif 000006
【図５】
2013212342.tif 000007
【図６】
2013212342.tif 000008
(57)【要約】  【課題】  本体のスピーカー穴をふさぐことなく本体を把持することができ、スピーカーの音を遮蔽することを防止する構造を提供する。  【解決手段】  本体の上部外装カバーにスピーカー穴を配置する撮像機器において、スピーカー穴の近傍に突起を設けた。また突起に指をかける状態で撮像機器を把持すると、自然と指と上部外装カバーの間に隙間ができ指でスピーカー穴をふさぐことを防止している。【選択図】  図３
2013105017.tif 000002
【特許請求の範囲】
【請求項１】
本体の上部外装カバーにスピーカー穴を配置する撮像機器において、
スピーカー穴の近傍に突起を設けた
ことを特徴とする撮像機器。
【請求項２】
突起は本体を把持するときの指かけ部である
ことを特徴とする請求項１に記載の撮像機器。
【請求項３】
本体の上部外装カバーにスピーカー穴を配置しており、
前記本体上部に複数の指かけ部を備える撮像機器において、
前記複数の指かけ部の間に少なくとも１つ以上のスピーカー穴を配置する
ことを特徴とする撮像機器。
【発明の詳細な説明】
【技術分野】
【０００１】
本発明はスピーカーを内蔵する撮像機器に関するものである。
【背景技術】
【０００２】
近年、ビデオカメラなどの撮像機器は記録媒体がテープや光ディスクからメモリーカードへと変更になってきている。メモリーカードを記録媒体に使用する撮像機器は従来のカセットテープなどを記録媒体に使用してる機種に比べ、本体の筺体を大幅に小さくすることができた。
【０００３】
また本体に対して回動する表示部を持つ小型の撮像機器において、表示部を閉じた状態でも音が聞こえるようにスピーカー穴を撮像機器を把持するカバー部を避けてで本体上面カバーに配置する場合があった。（たとえば非特許文献１）。
【先行技術文献】
【非特許文献】
【０００４】
【非特許文献１】「キヤノン株式会社  ＤＶＤビデオカメラ iVIS DC200使用説明書」、キヤノン株式会社、２００７年、ｐ．１４
【発明の概要】
【発明が解決しようとする課題】
【０００５】
しかしながら撮像機器を手で把持したときに、撮像機器本体自身の大きさが小さいことから本体に内蔵するスピーカーの音を出すためのスピーカー穴部に指がかかってしまい、音を遮蔽してしまう問題があった。またスピーカー部に指をかけないように指を少し浮かせたりして把持して撮影することもできるが、このような誤った把持方法では撮像機器を安定させることができず、そのまま撮影すると手ぶれや長時間撮影時の疲労につながっていた。
【課題を解決するための手段】
【０００６】
上記目的を達成するため、請求項１の撮像機器は、
本体の上部外装カバーにスピーカー穴を配置する撮像機器において、
スピーカー穴の近傍に突起を設けた
ことを特徴としている。
【０００７】
請求項２の撮像機器は、請求項１に記載の撮像機器において、
突起は本体を把持するときの指かけ部である
ことを特徴としている。
【０００８】
請求項３の撮像機器は、請求項１および２に記載の撮像機器において、
本体の上部外装カバーにスピーカー穴を配置しており、
前記本体上部に複数の指かけ部を備える撮像機器において、
前記複数の指かけ部の間に少なくとも１つ以上のスピーカー穴を配置する
ことを特徴としている。
【発明の効果】
【０００９】
本発明の構成によれば、撮像機器のスピーカー穴をふさぐことなく本体を把持することができ、スピーカーの音を遮蔽することを防止することができる。
【図面の簡単な説明】
【００１０】
【図１】表示ユニット１５が開かれた状態のビデオカメラの斜視図
【図２】図１におけるＡ−Ａ断面図
【図３】撮影者がカメラ本体１１を把持した状態の図
【発明を実施するための形態】
【００１１】
＜第１の実施形態＞
以下、本発明の実施例について図を参照しながら説明する。
【００１２】
図１には、本発明の実施例である撮像機器としてのビデオカメラの外観を示す。カメラ本体１１には、レンズの光学ズームを変更するズームレバー１２、ビデオカメラの電源ボタン１３、動画の撮影を行うためのトリガーボタン１４、画像を表示する表示ユニット１５が設けられている。またカメラ本体１１の内部には、画像や音声を記録したり再生したりする記録再生部が設けられている。また本体後面にはバッテリーを取り付けるためのバッテリー収納部１６が配置されている。
【００１３】
カメラ本体１１の上面部は上面カバー１７と中央部の上面化粧カバー１８の２つのカバーで構成されている。上面化粧カバー１８にスピーカー穴１９が設けられており、上面カバー１７にはカメラ本体１１を把持したときに指をかけるための指かけ部２０がある。
【００１４】
図１におけるスピーカー穴１９の中心をとおるＡ−Ａ断面図を図２に示す。図２において上面化粧カバー１８に設けられたスピーカー穴１９は上面カバー１７に設けられた指かけ部２０の近傍に配置している。またスピーカー２１は上面カバー１７にビス２２で止められるスピーカー押さえ板金２３によって上面カバー１７に押しつけられ、カメラ本体１１の内部での音の漏れを防止している。
【００１５】
撮影者がカメラ本体１１を把持した状態を図３に示す。指かけ部２０に撮影者の指２４をかける状態で把持すると、自然と指２４と上面カバー１７の間に隙間ができ指２４でスピーカー穴１９をふさぐことを防止している。また指かけ部２０の先端は指２４をかけやすいように凸形状になっており、正しい持ち方を促すのに効果的な形状である。そのためカメラ本体１１を安定して把持することがで、手ぶれの防止や長時間撮影時の疲労を軽減することができる。
【００１６】
以上、ビデオカメラのスピーカー穴部周辺の構造について詳述してきたが、本発明はこれら特定の実施形態に限られるものではなく、この発明の要旨を逸脱しない範囲の様々な形態も本発明に含まれる。部品の形状は任意に変更は可能である。また上述の実施形態の一部を適宜組み合わせてもよい。なお直接明細書および図面に記載がないいずれかの形状や構造や材質であっても、本発明の作用・効果を奏する以上、本発明の技術的思想の範囲内である。指かけ部は上面カバー以外のカバーで構成されてもよいし、ゴムなどの材料で作成しているもよい。
【符号の説明】
【００１７】
１１‥‥カメラ本体
１２‥‥ズームノブ
１３‥‥電源ボタン
１４‥‥トリガーボタン
１５‥‥表示ユニット
１６‥‥バッテリー取り付け部
１７‥‥上面カバー
１８‥‥上面化粧カバー
１９‥‥スピーカー穴
２０‥‥指かけ部
２１‥‥スピーカー
２２‥‥ビス
２３‥‥スピーカー押さえ板金
２４‥‥指
【図１】
2013105017.tif 000003
【図２】
2013105017.tif 000004
【図３】
2013105017.tif 000005
(57)【要約】【課題】本発明は調理器具の側面を発熱体で直接加温することにより加熱時間を短縮するもので、電磁調理器からの漏れ磁束線をコイルで回収し、その時に生じる電力で発熱体を加熱するもである。電磁調理器の電磁コイルの外周よりも小さい調理器具の外周に取り付けたコイル１に、電磁調理器の電磁コイルからの磁束線が当たりフレミングの法則により電力が生じる、その電力により発熱体２が加熱され調理器の側面を直接温めることが出来る。【解決手段】電磁調理器での調理の際、電磁調理器の電磁コイルの外周よりも小さい調理器具では調理器具周辺の空中に磁束線を放出した状態であり、漏れ磁束線をコイルで回収して発熱体を加熱させる事により調理器具の側面を発熱体で直接加温することで調理にかかる加熱時間を短縮するものである。【選択図】図１
2013105738.tif 000002
【特許請求の範囲】
【請求項１】
漏れ磁束線を回収し電力を生み出すコイルと、コイルにより得た電力から発熱体による調理器具側面を加熱する事を特徴とする側面加熱式電磁調理器具。
【発明の詳細な説明】
【技術分野】
【０００１】本発明は、現在市販されている電磁調理器の調理器具は金属製であり電磁調理器からの磁束線を調理器具内の水分に伝えているが、電磁調理器の電磁コイルの外周よりも小さい調理器具も同じ構造であるので、調理器具の架からない部分では磁束線が漏れた状態でありこれを回収し自ら発熱する側面加熱式電磁調理器具を提供する。
【背景技術】
【０００２】現在市販されている電磁調理器の調理器具は金属製であり電磁調理器からの磁束線を調理器具内の水分に伝えている調理器具として広く一般に利用されている。【０００３】しかし現在市販されている電磁調理器の調理器具は金属製であり電磁調理器からの磁束線を調理器具内の水分に伝えている、電磁調理器の電磁コイルの外周よりも小さい調理器具も同じ構造であるので、調理器具の架からない部分では磁束線が漏れた状態であり電力効率の無駄が生じる欠点があった。
【先行技術文献】
【特許文献】
【０００４】
【特許文献１】
【発明の概要】
【発明が解決しようとする課題】
【０００５】本発明は電磁調理器から出る漏れ磁束線を、コイルで回収し加熱時間の短縮をする調理補助器具を提供する。
【課題を解決するための手段】
【０００６】電磁調理器の調理器具は金属製であり電磁調理器からの磁束線を調理器具内の水分に伝えている、電磁調理器の電磁コイルの外周よりも小さい調理器具も同じ構造であるので、調理器具の架からない部分では磁束線が漏れた状態であり、その漏れ磁束線をコイルで回収して電力を得て発熱体に電力を供給することにより発熱体を暖め、調理器具の側面を暖められた発熱体により加熱する事で調理にかかる加熱時間を短縮し家庭内の総エネルギー量を削減できる。
【発明の効果】
【０００７】以上の説明から明らかなように、本発明は調理器具の側面を加熱することにより加熱時間を短縮する効果が得られる。
【図面の簡単な説明】
【０００８】
【図１】側面加熱式電磁調理器具全体の構成図
【発明を実施するための形態】
【０００９】以下本発明の実施の形態を図に基づいて説明する。
【００１０】本発明は調理器具の側面を発熱体で直接加温することにより加熱時間を短縮するもので、電磁調理器からの漏れ磁束線をコイルで回収しそのときに生じる電力で発熱体を加熱するもである。
電磁調理器の電磁コイルの外周よりも小さい調理器具の外周に取り付けたコイル１に、電磁調理器の電磁コイルからの磁束線が当たりフレミングの法則により電力が生じる、その電力により発熱体２が加熱され調理器の側面を直接温めることが出来る。
【図１】
2013105738.tif 000003
(57)【要約】      （修正有）【課題】端子自体に滑り止めを設けることにより端子を固定のためのハウジング部材を１枚とし、初期費用の安価なソケットを提供。【解決手段】コンタクト本体１には端子基底部７より上下方向に突き出た二本の腕の先端部に設けた接点部６、さらに基底部にはゴムなどの材料で設けられた抜け止め部材３を固定する貫通穴８及び方向を定める回り止め部５が左右に設けられている。ハウジングには所定のピッチの碁盤目状の長穴、設置穴が設けられており、この設置穴には腕を通すための長穴部、抜け止めのためのスリット及びコンタクト本体が抜け落ちることを防止する上方移動制限壁を設ける。上記の二つの部材はコンタクト本体をハウジングの設置穴に下方向より押し込み、上方移動制限壁に抜け止め部材が位置あわせされ、スリットに回りとめ部が勘合するように組み込まれ、相互に固定される。【選択図】図１
2013105736.tif 000002
【特許請求の範囲】
【請求項１】
（い）コンタクト本体（１）には端子基底部（７）より上下方向に突き出た二本の腕の先端部に設けた接点部（６）、さらに基底部（７）にはゴムなどの材料で設けられた抜け止め部材（３）を固定する貫通穴（８）及び方向を定める回り止め部（５）が左右に設けられている。
（ろ）ハウジング（２）には所定のピッチの碁盤目状の長穴、設置穴（４）が設けられており、この設置穴（４）には腕を通すための長穴部（１０）、抜け止めのためのスリット（１１）及びコンタクト本体（１）が抜け落ちることを防止する上方移動制限壁（９）を設ける。
（は）上記の二つの部材はコンタクト本体（１）をハウジング（２）の設置穴（４）に下方向より押し込み、上方移動制限壁（９）に抜け止め部材（３）が位置あわせされ、スリット（１１）に回りとめ部（５）が勘合するように組み込まれ、相互に固定される。
以上の構成の低背型コンタクト。
【発明の詳細な説明】
【技術分野】
【０００１】この発明は、ボールグリッドタイプ、ランドグリッドタイプ、リードレスグリッドアレイタイプの外部端子を持った半導体の検査や実装用のソケットの端子、特に上下両方向から加圧する動作を行うソケットのコンタクトに関するものである。
【背景技術】
【０００２】従来、碁盤の目状に出力端子が並んだ半導体の検査には一般的な内部にコイルスプリングを組み込んだコンタクトプローブ端子や一枚の金属導体から加工成型され側面からみて概略Ｃタイプのものが使用されてきた。
【発明の開示】
【発明が解決しようとする課題】
【０００３】そのためには次のような問題が有った。
（イ）従来のコンタクトプローブ端子は端子自体の構造が複雑なために製造が難しく低背型の要求には特に端子自体に価格的な課題を抱えていた。
（ロ）Ｃ型のタイプは形態的な理由で製造が容易で安価な端子ではあるが端子の姿勢の安定及び固定のためには絶縁物、通常はプラスチックス製で碁盤の目状の穴の開いた板形状のもので上下から挟み込む必要があった。しかしこの板状のプラスチックスは薄く、かつ多くの穴が開いているため微細なものとなり初期費用が高価となり、やはり価格的な課題を抱えていた。
（ハ）Ｃ形状タイプで端子の姿勢の安定及び固定のために一枚のプラスチックス部品に穴を開け、その穴に対し、一部寸法が大き目の部位をもつ端子を圧入することにより一つのプラスチックス部品にて構成することができるが、この場合端子が穴を削り、押し広げ、プラスチックスを変形させ固定させるため、端子の破損や変形が生じた場合の交換の際はプラスチックスの破損のため端子の保持能力が低下する。
【課題を解決するための手段】
【０００４】側面形状が概略Ｃ型の端子形状で２箇所の接点から一番遠くに位置する部位には前面及び背面に突き出るように設けたゴム等の抜け止めを組み込んだ低背型コンタクト。
【発明の効果】
【０００５】抜け止めとしてゴム等を用いているためすべりおちにくく二枚の板で上下方向から押さえる必要がなく、一枚の板に穴の開いた空間に安定的に設置することができる。【０００６】一枚の板状固定部材に安定的に設置できるため初期費用を低く押さえることが可能である。【０００７】抜け止めとしてゴムなどの弾性体を用いているため、設置穴への端子の設置の際は固定用のプラスチックス部品の磨耗や変形が少ないため端子の交換が多数回可能であり保持性能も維持できる。
【発明を実施するための最良の形態】
【０００８】以下に本発明の実施の形態を図を用いて説明する。
コンタクト本体（１）には端子基底部（７）より上下方向に突き出た二本の腕の先端部に設けた接点部（６）、さらに基底部（７）にはゴムなどの材料で設けられた抜け止め部材（３）を固定する貫通穴（８）及び方向を定める回り止め部（５）が左右に設けられている。コンタクト本体（１）を固定する部材であるハウジング（２）には所定のピッチの碁盤目状の長穴、設置穴（４）が設けられており、この設置穴（４）には腕を通すための長穴部（１０）、抜け止めのためのスリット（１１）及びコンタクト本体（１）が抜け落ちることを防止する上方移動制限壁（９）を設ける。
本発明は以上のような部材構成で使用の際は、
コンタクト本体（１）をハウジング（２）の設置穴（４）に下方向より押し込み、上方移動制限壁（９）に抜け止め部材（３）が位置あわせされ、スリット（１１）に回りとめ部（５）が勘合するように組み込まれ、相互に固定される。
【図面の簡単な説明】
【０００９】
【図１】本発明のコンタクトの斜視図である。
【図２】本発明のハウジングの断面斜視図である。
【図３】本発明の組み込まれ断面斜視図である。
【符号の説明】
【００１０】１．コンタクト本体
２．ハウジング
３．抜け止め部材
４．設置穴
５．回り止め部
６．接点部
７．端子基底部
８．貫通穴
９．上方移動制限壁
１０．長穴部
１１．スリット
【図１】
2013105736.tif 000003
【図２】
2013105736.tif 000004
【図３】
2013105736.tif 000005
(57)【要約】【課題】  従来のタブレット端末向けの電子書籍の購入方式はクレジットカード決済によるものが一般的であり、クレジットカードを持たない消費者へのタブレット端末および電子書籍の普及を妨げてきた点、消費者がその都度電波の十分な環境を探す手間がかかり購買意欲を削ぐ点、従来の電子書籍自動販売機がリーダー機であるタブレット端末用に設計されていないためタブレット端末利用者が利用できない点である。【解決手段】  タブレット端末向けの電子書籍の購入方法として、現金のみまたは現金および電子マネーによる購入システムの導入。タブレット端末用に設計。利用者一人が本発明品を安全に操作でき、データ通信環境の整っている場所へ本発明品を設置。【選択図】図１
2013105480.tif 000002
【特許請求の範囲】
【請求項１】
現金支払い、電子マネー支払いシステム導入していて、購入中にタブレット端末を置いておけるようにするなどのタブレット端末用に設計されたタブレット端末向けの電子書籍自動販売機。
【発明の詳細な説明】
【技術分野】
【０００１】    本発明は、タブレット端末向けに電子書籍を自動販売する機械に関するものである。
【背景技術】
【０００２】  電子書籍は紙を使わない書籍として広く認知されている。その電子書籍のリーダー機としてタブレット端末は電子書籍の普及に一役買っている。しかしこれまでタブレット端末から電子書籍を購入する際、クレジットカードによる支払いが主流であり、現金や電子マネーによる支払い方法が普及していなかった。電子書籍自動販売機として開発されているものもあるが、それらはタブレット端末向けでないのでタブレット端末利用者が利用できない点が不十分であった。
【先行技術文献】
【特許文献】
【０００３】
【特許文献１】特許公開２００２−１３３５１２
【発明の概要】
【発明が解決しようとする課題】
【０００４】  従来のタブレット端末向けの電子書籍の購入方式はクレジットカード決済によるものが一般的であり、クレジットカードを持たない消費者の購入が不便であるため、タブレット端末および電子書籍の普及を妨げてきた点、電波が十分でないと購入できないため、消費者がその都度電波の十分な環境を探す手間がかかり、購入への不便性から購買意欲を削ぐ点、それらの条件を満たしていてもタブレット端末用に設計されていないためタブレット端末利用者が利用できない点である。
【課題を解決するための手段】
【０００５】  タブレット端末向けの電子書籍の購入方法として、現金のみまたは現金および電子マネーによる購入システムの導入。タブレット端末の接続部を組み込み、その際置いておけるようにタブレット端末用に設計。利用者一人が本発明品を安全に操作でき、データ通信環境の整っている場所へ本発明品を設置。
【発明の効果】
【０００６】  購入方法が原因でこれまで利用できなかった者を含む消費者の購入を可能、または容易にし、タブレット端末および電子書籍の更なる普及を助ける効果がある。さらにデータ通信環境の整っている場所に設置される特性のある本発明品を利用することで、わざわざ消費者が電波を探す必要がなくなり、手間がかかることによる購買意欲の低下を防止する効果が期待できる。
【図面の簡単な説明】
【０００７】
【図１】図１は本発明品の外観とその簡単な説明である。
【図２】図２は本発明品の簡単な内部構造である。
【産業上の利用可能性】
【０００８】電子書籍、タブレット端末の普及を助ける効果が期待される。
【符号の説明】
【０００９】図１  １  タッチパネル  ２  プライバシー保護のためのついたて
３  タブレット端末を置く場所  ４  タブレット端末が落ちないための支え
５  接続口  ６  硬貨投入口  ７  紙幣挿入口  ８  電子マネー認識機
９  返却レバー  １０  お釣り返却口  １１  扉  １２  広告
【図１】
2013105480.tif 000003
【図２】
2013105480.tif 000004
(57)【要約】      （修正有）【課題】節水のための高価な器具や、新たな節水用エコ貯水タンクを購入することなしに、安価な方法で貯水タンクの水位を調整することができる貯水タンクの節水補助具を提供する。【解決手段】面ファスナー９に発泡スチロール１０ａを取り付け、それを浮玉４底部に固定させることにより、トイレなどの貯水タンクの水を大幅に節水することができ、発泡スチロール１０ａを脱着させることで、旧式トイレの貯水タンク、新式トイレの貯水タンク、また家族構成などの状況に応じて、貯水タンクの水位を容易に調整することができる。【選択図】図５
2013122114.tif 000002
【特許請求の範囲】
【請求項１】
発泡スチロール自体が面ファスナーに取り付けられており、発泡スチロールと貯水タンクの浮玉底部を面ファスナーで固定することを特徴とする貯水タンク節水のための補助具。
【請求項２】
浮力のある発泡スチロールを貯水タンクの浮玉底部に直接取り付けることで貯水タンクの水位を調整することができることを特徴とする貯水タンク節水のための補助具。
【請求項３】
浮力のある発泡スチロールと請求項１記載の補助具とを脱着させることで、水位を調整することができることを特徴とする節水のための補助具。
【発明の詳細な説明】
【技術分野】
【０００１】
貯水タンクの節水補助具に関する。
【背景技術】
【０００２】
従来から、トイレなどの貯水タンクの中にブロックやおもりを入れたペットボトルを沈めて、水かさを増すようにして、貯水タンクの水位を調整し、節約している。
【０００３】
水かさを増すためにブロックやおもりを詰め込んだペットボトルは、貯水タンクの器具に不具合を生じさせている。
【０００４】
その結果、節水どころか、水が垂れ流しになる場合もある。
【先行技術文献】
【特許文献】
【０００５】
【特許文献１】特開２００３−５６０４１号公報
【発明の概要】
【発明が解決しようとする課題】
【０００６】
貯水タンクの中に沈められたブロックやおもり入りペットボトルなどは、貯水タンクの器具に不具合を生じさせるという欠点がある。
【０００７】
その結果、節水どころか水が垂れ流しになる恐れがあった。
【０００８】
特にブロックや網に入れた砂利などを沈めた場合、ブロックの細かな石や、破れた網から砂利が便器、または排水管を詰まらせることがあった。
【０００９】
そこで、本発明は、上記問題点を克服し、かつ簡単な方法で、しかも安価な方法で節水のための節水補助具を供給することを目的としている。
【課題を解決するための手段】
【００１０】
トイレなどの貯水タンクの浮玉底部に発泡スチロールを面ファスナーなどで固定し、貯水タンクの水位を簡単に調整することができる水位調整補助具である。
【００１１】
請求項３の発明により、図３のように水位調整のための発泡スチロールなどの補助具自体に面ファスナーが取り付けられているため、発泡スチロール自体を脱着する方法で貯水タンクの水位を調整することができる。
【発明の効果】
【００１２】
本発明によれば、貯水タンクの水を大幅に減らすことができ経済的である。
【００１３】
本発明によれば、節水のための高価な器具や、新たな節水用エコ貯水タンクを購入することなしに、安価な方法で貯水タンクの水位を調整することができる。
【００１４】
また、請求項２及び３の発明に係る方法によれば、水位を調整するための浮玉底部に取り付ける泡スチロールなどの補助具自体の脱着が可能なため、旧式トイレの貯水タンク、新式トイレの貯水タンク、また家族構成などの状況に応じて、貯水タンクの水位を容易に調整することができる。
【図面の簡単な説明】
【００１５】
【図１】一般的なトイレの貯水タンクの正面図である。
【図２】面ファスナーに発泡スチロールを取り付けた節水補助具である。
【図３】図２の節水補助具対し、さらに水位を調整するための節水補助具の正面拡大図である。
【図４】浮玉底部に図２の節水補助具を取り付けた状態の正面拡大図である。
【図５】図２の節水補助具を取り付けた状態の全体正面図である。
【図６】図３の節水補助具を取り付けた状態の全体正面図である。
【発明を実施するための形態】
【００１６】
トイレなどの貯水タンクの浮玉底部に図２の水位を調整するための節水補助具を巻きつけるように固定する。以下、実施例を挙げて本発明を更に詳述するも、本発明がこれらの説明や手順に限定されるものではない。
【実施例】
【００１７】
図２の固定手段は紐でもよい。
【００１８】
図２の固定手段はプラスティックの結束バンドでもよい。
【００１９】
図２の１０a及び１０bは球形でもよい。
【００２０】
図２の１０a及び１０bは円柱形でもよい。
【００２１】
図２の１０a及び１０bは長方体でもよい。
【００２２】
図２の１０はa及び１０b正方体でもよい。
【００２３】
図２の１０a及び１０bは浮玉と直接接合させてもよい。
【００２４】
図３の１１の脱着手段は吸盤でもよい。
【００２５】
水位の調整手段として、図２の１０aの節水補助具自体に切り込みが入り、節水補助具が分割できるようになっている補助具でもよい。
【００２６】
水位の調整手段として、図３の１０bの節水補助具自体に切り込みが入り、節水補助具が分割できるようになっている補助具でもよい。
【００２７】
図２の１０a及び１０bはプラスティックボトルでもよい。
【産業上の利用可能性】
【００２８】
本発明によれば、貯水タンク内の器具に不具合を生じさせることなく、かつコストのかからない方法でトイレの貯水タンクの水位を調整し、節水することが可能となる。
【符号の説明】
【００２９】
図１
１・・・止水弁
２・・・給水管
３・・・ボールタップ
４・・・浮玉
５・・・レバー
６・・・オーバーフロー管
７・・・フロート弁
８・・・排水管
【００３０】
図２
９・・・面ファスナー
１０a・・・発泡スチロール
【００３１】
図３
１０b・・・発泡スチロール
１１・・・面ファスナー
【００３２】
図４
４・・・浮玉
９・・・面ファスナー
１０a・・・発泡スチロール
【００３３】
図5
１・・・止水弁
２・・・給水管
３・・・ボールタップ
４・・・浮玉
５・・・レバー
６・・・オーバーフロー管
７・・・フロート弁
８・・・排水管
９・・・面ファスナー
１０a・・・発泡スチロール
１２・・・水位線
【００３４】
図６
１・・・止水弁
２・・・給水管
３・・・ボールタップ
４・・・浮玉
５・・・レバー
６・・・オーバーフロー管
７・・・フロート弁
８・・・排水管
９・・・面ファスナー
１０a・・・発泡スチロール
１０b・・・発泡スチロール
１１・・・面ファスナー
１２・・・水位線
【図１】
2013122114.tif 000003
【図２】
2013122114.tif 000004
【図３】
2013122114.tif 000005
【図４】
2013122114.tif 000006
【図５】
2013122114.tif 000007
【図６】
2013122114.tif 000008
(57)【要約】      （修正有）【課題】排水レバー周囲に簡単に取り付けられる外付け型の節水具を提供する。【解決手段】半円弧状の帯状体からなる受け部２は肉厚に形成され、受け部２の上面から下方に向けて肉厚部を穿つように差し込み部４を等間隔に複数設け、棒状のストッパー３が差し込み部４に挿入自在に設けられ、受け部２の裏面は粘着の貼付部が設けられ、排水タンクの表面に貼り付けて設置され、大小方向それぞれ一回に流したい水量の位置（止めたい位置）にストッパー３を差し込むことによって、排水レバー１の可動域に制限をかけるトイレ簡易節水具である。【選択図】図２
2013122160.tif 000002
【特許請求の範囲】
【請求項１】
半円弧状の帯状体からなる受け部は肉厚に形成され、受け部の上面から下方に向けて肉厚部を穿つように差し込み部を等間隔に複数設け、棒状のストッパーが差し込み部に挿入自在に設けられ、受け部の裏面は粘着の貼付部が設けられ、排水タンクの表面に貼り付けて設置されるトイレ簡易節水具。
【発明の詳細な説明】
【技術分野】
【０００１】  本発明は、トイレ洗浄に要する水を節約するためのトイレ簡易節水具に関するものである。
【背景技術】
【０００２】  トイレを使用後は、排水レバーを動かし、水を流して便器を洗浄するが、大あるいは小方向の選択のみで、水量を調節することができなかった。
従来タンク内に設置するタイプの節水グッズは多数発明されているが、排水レバー周囲に取り付ける外付け型の簡易タイプはなかった。
【先行技術文献】
【０００３】
【特許文献１】  特開２００５−２００８９６号公報
【発明の概要】
【発明が解決しようとする課題】
【０００４】  トイレ使用後に水を流す際、大小方向の選択しかないので、決まった量の水が流れてしまい、水量を控えたいと思っても調節することができなかった。
特に大家族や、子供・老人などのいる家庭、公共の場ではトイレを使用する頻度が高く、意識の問題などもあり周知徹底することは難しい。またタンクによっても大小の方向が違うので、小を流すつもりで間違えて大を流してしまう場合などもある。（排水レバーがタンクの横にあるものは、正面からは見えにくい）
資源を大事に使わなければならない時代であるが、特に水不足になる夏場などは深刻な問題であり、自助努力をひとりひとりが心がけなければならない。
従来、タンク内に設置するタイプのものはあるが、重い蓋を持ち上げタンクの水の中に手を入れて設置しなければならず、特に女性には厄介である。
本発明は、以上の問題点を解決するためになされたものである。
【課題を解決するための手段】
【０００５】  排水レバー可動域に沿って半円弧状の本体をタンク表面に設置し、大小方向それぞれ一回に流したい水量の位置（止めたい位置）にストッパーを差し込むことによって、排水レバーの可動域に制限をかける。
以上の構造からなるトイレ簡易節水具である。
【発明の効果】
【０００６】  外付けタイプなので簡単に取り付けることができ、大小方向それぞれ一回に流したい水量に設定することができ、水の節約が可能になる。
【図面の簡単な説明】
【０００７】
【図１】本発明の使用状態の正面図
【図２】本発明の使用状態の斜視図
【図３】本発明のストッパーの使用状態を示す斜視図
【図４】本発明の受け部の斜視図
【図５】本発明の受け部の裏面図
【発明を実施するための形態】
【０００８】  以下、本発明の実施の形態を説明する。
（イ）半円弧状の帯状体からなる受け部（２）は肉厚に形成される。
（ロ）受け部（２）の上面から下方に向けて肉厚部を穿つように四角状の差し込み部          （４）を等間隔に複数設ける。
（ハ）差し込み部（４）に差し込まれる形状の角棒状のストッパー（３）の上部にリ          ング状のつまみ部（６）を設ける。
（ニ）角棒状のストッパー（３）は、四角状の差し込み部（４）に挿入自在に設ける          。
（ホ）受け部（２）の裏面は粘着剤または両面テープの貼付部（５）が設けられ、排          水タンクの表面に貼り付けて設置される。
本発明は以上の構成よりなる。
なお、排水レバー（１）は、円盤体（１ａ）と円盤体の下方に突出する突出片（１ｂ）より構成され、突出片（１ｂ）は略半円を往復するように作動する。したがって突出片（１ｂ）の先端は半円弧状の軌道を描くが、本発明の受け部（２）は突出片（１ｂ）の先端が描く軌道の外側に位置するように、排水タンク表面に貼付される。
【符号の説明】
【０００９】  １  排水レバー
２  受け部
３  ストッパー
４  差し込み部
５  貼付部
６  つまみ部
【図１】
2013122160.tif 000003
【図２】
2013122160.tif 000004
【図３】
2013122160.tif 000005
【図４】
2013122160.tif 000006
【図５】
2013122160.tif 000007
(57)【要約】【課題】  サッシ戸に冬場に外気との気温差によってガラスに水滴が多く着き、暖房を入れると滴となって流れおち、床及びカーテンが濡れて床が腐るのを本品を取り付けることにより解決する。【解決手段】  本品をサッシの下側に取り付ける事により、カーテンが濡れるのを防ぐことが出来、水滴はガードからレールに落ちることを特徴とする。【選択図】図１
2013122161.tif 000002
【特許請求の範囲】
【請求項１】
サッシ戸の下に水滴用のガードを取り付ける。
【発明の詳細な説明】
【技術分野】
【０００１】  この発明は、サッシ水滴用ガードに関するものである。
【背景技術】
【０００２】  従来は、サッシに水滴が着くのを防ぐものであった。
【発明の開示】
【０００３】  冬場はサッシ及ガラスは、室内と室外の温度差による内側に水滴が着くのが当たり前の事で、着いた水滴をどうするかを考えた。
【課題を解決するための手段】
【０００４】  これをサッシの下側に取り付ける事によって、カーテンも濡れるのを防ぐことが出来、水滴はガードからレールに落ちる。
【図１】
2013122161.tif 000003
【図２】
2013122161.tif 000004
【手続補正書】
【提出日】平成24年2月13日(2012.2.13)
【手続補正１】
【補正対象書類名】明細書
【補正対象項目名】全文
【補正方法】変更
【補正の内容】
【発明の詳細な説明】
【技術分野】
【０００１】この発明は、サッシ水滴用ガードに関するものである。
【背景技術】
【０００２】従来は、サッシに水滴が着くのを防ぐものであった。
【発明の開示】
【０００３】冬場はサッシ及ガラスは、室内と室外の温度差による内側に水滴が着くのが当たり前の事で、着いた水滴をどうするかを考えた。
【課題を解決するための手段】
【０００４】これをサッシの下側に取り付けることによって、カーテンも濡れるのを防ぐことが出来、水滴はガードからレールに落ちる。
【図面の簡単な説明】
【０００５】
【図１】２をアクリル板に接着後１のアクリル板を持ってサッシ戸の内側よりレールの溝に差し込むのを表す立体図である。
【図２】１のアクリル板をサッシ戸のレールの溝に差し込んだ状態を表す上側から見た平面図である。
【符号の説明】
【０００６】１  アクリル板
２  両面テープ
３  切れ込み
(57)【要約】      （修正有）【課題】多機能発行機等の保守等の現地作業工数を減らすためには、プーリ軸とローラ軸を別部品にすることで、プーリにベルトを残したまま取り外しが出来るようする必要がある。【解決手段】プーリ軸３ａ，３ｂとローラ軸４ａ，４ｂを別部品にし、軸の先端形状をテーパーカップリング機構のオス部とメス部にすることによって、プーリ１ａ，１ｂ，１ｃの外周に掛かっているベルト２を外さなくても動力伝達装置が取り外せるようにすることで、動力伝達装置の保守の作業性向上に資することができる。【選択図】図１
2013122264.tif 000002
【特許請求の範囲】
【請求項１】
軸が片持ち支持のベルト駆動の動力伝達装置において、プーリ軸とローラ軸を別部品にし、軸の先端形状をテーパーカップリング機構のオス部とメス部にすることによって、ベルトをプーリに残したままローラ軸、ローラ、プーリとは反対側の軸受及びプレートからなる搬送部分をユニットとして取り外すことが出来ることを特徴とする動力伝達装置。
【発明の詳細な説明】
【技術分野】
【０００１】
本発明は、軸が片持ち支持のベルト駆動の動力伝達装置に関する。
【背景技術】
【０００２】
動力伝達装置の駆動方式の中で、ベルト駆動は騒音が少なく重量も軽いので、ベルト駆動の動力伝達装置は広く使われている。
ベルト駆動の動力伝達装置は、各軸の一端に取り付けられているプーリの外周にベルトを掛けることによってモータの動力を伝導している。伝導された動力によって各軸は回転運動し、それらを軸とするローラとローラで物を狭持しながら搬送している。
また、上述の動力伝達装置は、点検や修理のために取り外すことが出来るように、軸が片持ちで支持されていることが多い。
以上が従来技術として知られている。
【先行技術文献】
【特許文献】
【０００３】
【特許文献１】特開平２−２５７２９７号公報
【発明の概要】
【発明が解決しようとする課題】
【０００４】
しかしながら、従来技術は点検や修理のために動力伝達装置を取り外す時、プーリの外周に掛かっているベルトを外す必要があるという課題がある。
また、点検や修理が完了した後に動力伝達装置を取り付ける時、ベルトのテンションを取り外す前と同じになるように調整する必要がある。
【課題を解決するための手段】
【０００５】
請求項１の発明によれば、軸が片持ち支持のベルト駆動の動力伝達装置において、プーリ軸とローラ軸を別部品にし、軸の先端形状をテーパーカップリング機構のオス部とメス部にすることによって、ベルトをプーリに残したままローラ軸、ローラ、プーリとは反対側の軸受及びプレートからなる搬送部分をユニットとして取り外すことが出来ることを特徴とする動力伝達装置。
【０００６】
上記の課題を解決するために、本発明は、プーリ軸とローラ軸を別部品にし、軸の先端形状をテーパーカップリング機構のオス部とメス部にする。動力伝達装置の軸をプーリ側とローラ側に分割することによって、プーリの外周に掛かっているベルトを外さなくてもローラ軸及びローラが取り外せるようにする。
【発明の効果】
【０００７】
本発明は、軸が片持ち支持のベルト駆動の動力伝達装置において、ベルトをプーリの外周に掛けた状態でローラ軸を取り外すことが出来る効果を奏する。さらに、搬送部分をユニットのまま取り外すことができることにより、動力伝達装置の保守の作業性向上に資することとなる。
【図面の簡単な説明】
【０００８】
【図１】本発明の実施例に係る動力伝達装置を搬送送り側から見た構成図である。
【図２】本発明の実施例に係る動力伝達装置のカップリング機構の説明図である。
【図３】動力伝達装置を側面から見た構成図である。
【発明を実施するための形態】
【０００９】
以下、本発明の実施の形態について、詳細に説明する。
【００１０】
本発明において、従来点検や修理のために動力伝達装置を取り外す時、プーリの外周に掛かっているベルトを外す必要があったが、ローラ側の軸の一端をプーリ側へ徐々に細くなるようなテーパー形状にし、プーリ側の軸の一端をローラ側へ徐々に広がるようなテーパー形状になっているハブを設け、それぞれの軸を嵌め合わせた時、ローラ側の軸が空転しない摩擦力と、ローラ軸がプーリ軸のハブから抜けないスラスト力が発生するカップリング機構により、プーリの外周に掛かっているベルトを外さなくても動力伝達装置が取り外せるようにする。
【実施例１】
【００１１】
動力伝達装置の実施例に係る機構を説明する。
図１において、動力伝達装置のベース８にモータ６、モータ軸５とその端にプーリ１ｃが取り付けられている。同様にプーリ軸３ａ、３ｂとプーリ１ａ、1ｂがベース８に取り付けられている。プーリ１ａ、１ｂ、１ｃの外周にベルト２を掛けることによって、モータ６の駆動力を軸３ａ、３ｂに伝導し、伝導された動力によりプーリ軸３ａ、３ｂは回転運動をする。ローラ軸４ａ、４ｂの一端のテーパー形状とプーリ軸３ａ、３ｂの中がテーパー形状になっているボスは結合することによりテーパーカップリング機構となる。このテーパーカップリング機構によりローラ７ａ、７ｂはプーリ軸３ａ、３ｂと同じ回転運動をし、ローラ軸４ａ、４ｂを軸とするローラ７ａ、７ｂは回転する。ローラ７ａ、７ｂは被搬送物１４を挟みながら搬送する。
また、ネジ１３ａ、１３ｂをベース８から取り外すことによって、ユニット化された搬送部分１５をワンタッチで取り外すことが出来る。
【００１２】
図２のテーパーカップリング機構において、プーリ軸３ａ、３ｂの回転運動による力Ｆより、面圧Ｐによる摩擦力Ｆｒが大きくなるようなテーパーの角度、材質及び表面処理等を設計することにより、ローラ軸４ａ、４ｂの空転を防ぐことができる。
【産業上の利用可能性】
【００１３】
本発明は、軸をプーリ側とローラ側に分割することによって、駆動方式がベルト駆動であり且つ軸が片持ちで支持されている機器に利用することが出来る。
【符号の説明】
【００１４】
１ａ〜１ｃ      プーリ
２              ベルト
３ａ〜３ｂ      プーリ軸
４ａ〜４ｂ      ローラ軸
５              モータ軸
６              モータ
７ａ〜７ｂ      ローラ
８              ベース
９、１０        プレート
１１ａ、１１ｂ  支柱
１２ａ〜１２ｈ  軸受
１３ａ〜１３ｂ  ネジ
１４            被搬送物
１５            搬送部分
Ｆ              スラスト力
Ｐ              面圧
Ｆｒ            摩擦力
【図１】
2013122264.tif 000003
【図２】
2013122264.tif 000004
【図３】
2013122264.tif 000005
(57)【要約】【課題】流体圧を受ける所が３片以上になってくると理解がむずかしくなってくる。【解決手段】ロータの窪み部からロータ枠に接するロータ凸までを１片として受圧部とすればロータの凸部が３以上になってくると受圧部が奇数片か偶数片のどちらかで１方のロータの受圧部が奇数片の時は受圧部の力が互に打消されて残り１個所の受圧だけが回転があり各各のロータに直結した回転軸に各各ギアを介して受圧部が偶数片の回転力のな他方のロータの回転を助けてやりロータが回転するにつれて他方のロータにしだいに回転力が生まれるにつれて１方のロータに回転力がしだいに無くなるので上記ギアにより互いに回転力を助け合いながら流体モータ又は容積形流体モータは回転する。【選択図】図１
2013122233.tif 000002
【特許請求の範囲】
【請求項１】
押込口（１）より加圧された流体により流体モータの１方のロータの受圧部が希数の時は１個所受圧部が多いので回転があるので、その時他方のロータの受圧部が偶数なので安定してい回転しないので各各のロータに設けた回転軸（１９）、（２０）、（１９Ａ）（２０Ａ）を同じ側の側枠外へ出して各各のロータ枠とロータの接する数と比例の歯のギアを設けて噛み合せ、加圧流体は、流体モータを通ると低圧の流体となってロータ枠の排出口より出、流体圧により１方のロータに回転力のあるがしだいに回転力が少なくなりそして無くなるが他方のロータが回転力が無いがしだいに回転力が大きくなるので互いに回転力を助けあいながら回転するのを特徴とする流体モータ及び容積形流体モータ。
【発明の詳細な説明】
【技術分野】
【０００１】圧のある流体を３葉のロータに押し込むと回転する自然科学及び自然現象を発見した
【背景技術】
【０００２】特願平１０−２９７４８９等がある。
【発明の開示】
【発明が解決しようとする課題】
【０００３】使用方法を発見
【課題を解決するための手段】
【０００４】特許法の中に自然現象を利用したという項目があるのそれの証明に元ずいたものでないと権利としてむずかしいのではないのかな
【発明の効果】
【０００５】２葉のロータより漏れは少ない。
【発明を実施するための最良の形態】
【０００６】自然現象ですので自然科学的な計算で出力計算ができる。
【実施例】
【０００７】押込口１よりよ圧力のある流体を押込むとロータの中点２８、２７、２６、３０、２８Ａ、２７Ａ  ２６Ａ、３０Ａからロータの先端点２、２１、２２、２４  ２５、２３、２Ａ、２１Ａ、２２Ａ、２４Ａ、２５Ａ、２３Ａまで間を１片とすれば図１で５と６打消されて力は０になるが７があるので回転力がありその時係り合うロータが８と９で打ち消されれて力が０になるので各各のロータに直結して軸を介してロータ側枠外の同じ側に同等のギアを設けて噛み合せる事で１方の回転力で他方のロータの回転を助けてやり次にしだいに図２にロータの凸部の位置になると流体圧が９Ａ、８Ａで打ち消されるが１７Ａに流体圧がかかるので回転力が生まれるが１８Ａと７Ａで打ち消されて回転力がないので上記各各のロータに直結した回転軸を介したギアにより左のロータの力で右のロータを回転を助けてやり互のロータは回転力を助け合いながら回転する。【０００８】各各のロータの凸部がロータ枠と接する数が違う場合はロータの凸部がロータ枠と接する数に比例して各各のロータに直結した回転軸を介した各各のギアの大きさとする。
【産業上の利用可能性】
【０００９】火力発電所に利用
【図面の簡単な説明】
【００１０】
【図１】右側のロータに回転力がある図
【図２】左側のロータに回転力がある図
【符号の説明】
【００１１】（加圧流体）押込口              １
ロータ先端点                    ２、２１、２２、２４、２５、２３
図１から回転後のロータ先端点    ２Ａ、２１Ａ、２２Ａ、２４Ａ、２５Ａ、２３Ａ
ロータ中点                      ２８、２７、２６、３０
図１から回転後のロータ中点      ２８Ａ、２７Ａ、２６Ａ、３０Ａ
ロータの回転力に影響のある片    ７、５。６、９、８
図１から回転後ロータの回転力に  ７Ａ、５Ａ、６Ａ、９Ａ、８Ａ
影響のある片
ロータ枠                        ４、３、４Ａ、３Ａ
排出口                          １１、１１Ａ
回転軸                          ２０、１９、２０Ａ、１９Ａ
ギヤ                            １２、１３、１２Ａ、１３Ａ
【図１】
2013122233.tif 000003
【図２】
2013122233.tif 000004